(57)【要約】【課題】  余分な部品点数を減らして構成を簡単にし、より安価に製造できる、ＯＡ機器の原稿圧着板開閉装置を提供せんとするにある。【解決手段】  中心部軸方向へ上部開放の収装孔を設けた筒状の取付脚部を有する取付部材と、この取付部材の上部に設けた両側板部にヒンジピンを介して回動可能に取り付けられた支持部材と、この支持部材と前記取付部材との間に設けられた回転制御手段とから成り、この回転制御手段を、前記取付脚部の前記収装孔内部に収装された圧縮コイルスプリングからなる弾性手段と、この弾性手段と対向させて前記支持部材に設けたローラと、このローラと前記圧縮コイルスプリングの間に当該圧縮コイルスプリングに被せて取り付けた筒状のスプリングガイドとで構成することで解決した。【選択図】        図４
2010282158.tif 000002
【特許請求の範囲】
【請求項１】
中心部軸方向へ上部開放の収装孔を設けた筒状の取付脚部を有する取付部材と、この取付部材の上部に設けた両側板部にヒンジピンを介して回動可能に取り付けられた支持部材と、この支持部材と前記取付部材との間に設けられた回転制御手段とから成り、この回転制御手段を、前記取付脚部の前記収装孔内部に収装された圧縮コイルスプリングからなる弾性手段と、この弾性手段と対向させて前記支持部材に設けたローラと、このローラと前記圧縮コイルスプリングの間に当該圧縮コイルスプリングに被せて取り付けた筒状のスプリングガイドとで構成したことを特徴とする、原稿圧着板開閉装置。
【請求項２】
前記スプリングガイドは、前記圧縮コイルスプリングの上端部にその外周と上端部を覆って取り付けられる筒状のものとしたことを特徴とする、請求項１に記載の原稿圧着板開閉装置。
【請求項３】
前記スプリングガイドは、前記圧縮コイルスプリングの上端部に当該圧縮コイルスプリングの内側と上端部を覆って取り付けられるフランジ部を有する筒状のものとしたことを特徴とする、請求項１に記載の原稿圧着板開閉装置。
【請求項４】
前記支持部材が、前記スプリングガイドと当接する部分にローラを取り付けたものであることを特徴とする、請求項１に記載の原稿圧着板開閉装置。
【請求項５】
前記ローラは、前記支持部材の両側板部に設けたローラ収容部に軸方向への移動を規制されて嵌入されていることを特徴とする、請求項２〜４のいずれか１項に記載の原稿圧着板開閉装置。
【請求項６】
前記回転制御手段が、前記取付脚部の前記収装孔内に収装されつつ前記支持部材と前記取付部材の間に弾設された捩じりコイルスプリングから成る弾性手段であることを特徴とする、請求項１に記載の原稿圧着板開閉装置。
【請求項７】
前記回転制御手段が、前記取付脚部の収装孔内に収装されて前記支持部材と前記取付部材の間に張設された引張コイルスプリングから成る弾性手段であることを特徴とする、請求項１に記載の原稿圧着板開閉装置。  
【発明の詳細な説明】
【技術分野】
【０００１】
本発明は、プリンタ、スキャナー、印刷機、或は複写機等の原稿圧着板を開閉する際に用いて好適な原稿圧着板開閉装置に関する。
【背景技術】
【０００２】
従来、とくに複写機の原稿圧着板の開閉装置として、通称棒ヒンジと称せられる原稿圧着板開閉装置が、原稿自動送り装置付でない原稿圧着板、或は原稿自動送り装置付きのものであっても比較的に重量の軽い原稿圧着板の開閉装置として広く用いられている。
【０００３】
このような原稿圧着板開閉装置は、装置本体側へ取り付けられる取付部材より取付脚部を垂下し、この取付脚部を装置本体へ上下方向に設けた取付孔へ着脱可能に挿入させて、原稿圧着板を原稿圧着板開閉装置ごと装置本体に対して着脱できる上に、原稿が本のように厚い厚物原稿の場合には、取付脚部が取付孔内を上下方向へスライドして、原稿圧着板で厚物原稿の上面を水平状態で覆うことができるように構成されている。
【０００４】
このような通称棒ヒンジと称せられる原稿圧着板開閉装置として、例えば下記特許文献１に記載されたものが公知である。この特許文献１に記載された原稿圧着板開閉装置は、装置本体の後部上端の上下方向へ設けた取付孔へ着脱可能に挿入される取付部材を兼ねる筒状の取付脚部の上端側に、原稿圧着板の後部へ取り付けた支持部材をヒンジピンを介して回動可能に取り付けたもので、取付脚部内部には圧縮コイルスプリングが収装され、支持部材には圧縮コイルスプリングと対向する位置にカム部を設け、このカム部と圧縮コイルスプリングとの間にスライダーを設け、このスライダーに支持部材のカム部が当接するように構成したものである。
【先行技術文献】
【特許文献】
【０００５】
【特許文献１】特開２００１−９８８３９号公報
【０００６】
近年、複写機はより一層のコストダウンをせまられており、従来公知の通称棒ヒンジと称せられる原稿圧着板開閉装置にあっても、より部品点数を少なくしてコストダウンを図ったものが求められている。また、プリンターやスキャナー、印刷機といった原稿圧着板を持つＯＡ機器にあっても大幅なコストダウンが求められており、部品点数を省略してより構成の簡単な原稿圧着板開閉装置が求められている。
【発明の概要】
【発明が解決しようとする課題】
【０００７】
本願発明は、以上の諸事情を勘案してなされたものであり、その目的は、余分な部品点数を減らして構成を簡単にし、より安価に製造できる、原稿圧着板開閉装置を提供せんとするにある。
【課題を解決するための手段】
【０００８】
上述した課題を達成するために本発明は、中心部軸方向へ上部開放の収装孔を設けた筒状の取付脚部を有する取付部材と、この取付部材の上部に設けた両側板部にヒンジピンを介して回動可能に取り付けられた支持部材と、この支持部材と前記取付部材との間に設けられた回転制御手段とから成り、この回転制御手段を、前記取付脚部の前記収装孔内部に収装された圧縮コイルスプリングからなる弾性手段と、この弾性手段と対向させて前記支持部材に設けたローラと、このローラと前記圧縮コイルスプリングの間に当該圧縮コイルスプリングに被せて取り付けた筒状のスプリングガイドとで構成したことを特徴とする。
【０００９】
本発明はさらに、前記スプリングガイドは、前記圧縮コイルスプリングの上端部にその外周と上端部を覆って取り付けられる筒状のものとしたことを特徴とする。
【００１０】
本発明はさらに、前記スプリングガイドは、前記圧縮コイルスプリングの上端部に当該圧縮コイルスプリングの内側と上端部を覆って取り付けられるフランジ部を有する筒状のものとしたことを特徴とする。
【００１１】
本発明はさらに、前記支持部材が、前記スプリングガイドと当接する部分にローラを取り付けたものであることを特徴とする。
【００１２】
本発明はさらに、前記ローラは、前記支持部材の両側板部に設けたガイド溝に軸方向への移動を規制されて嵌入されていることを特徴とする。
【００１３】
本発明はさらに、前記回転制御手段が、前記取付脚部の収装孔内へ収装されつつ前記支持部材と前記取付部材の間に弾設された捩じりコイルスプリングであることを特徴とする。
【００１４】
本発明はさらに、前記回転制御手段が、前記取付脚部の収装孔内に収装されて前記支持部材と前記取付部材の間に張設された引張コイルスプリングであることを特徴とする。
【発明の効果】
【００１５】
請求項１〜５に係る各発明にあっては、中心部軸方向へ上部開放の収装孔を設けた筒状の取付脚部を有する取付部材と、この取付部材の上部に設けた両側板部にヒンジピンを介して回動可能に取り付けられた支持部材と、この支持部材と前記取付部材との間に設けられた回転制御手段とから成り、この回転制御手段を、前記取付脚部の前記収装孔内部に収装された圧縮コイルスプリングからなる弾性手段と、この弾性手段と対向させて前記支持部材に設けたローラと、このローラと前記圧縮コイルスプリングの間に当該圧縮コイルスプリングに被せて取り付けた筒状のスプリングガイドとで構成したことによって、部品点数を省略し、構成をより一層簡単にしたので、コストダウンを図って安価に原稿圧着板開閉装置を提供できるものである。
【００１６】
請求項６〜７に係る各発明にあっては、さらに部品点数が少なくなって、構成が簡単となるので、より一層のコストダウンを図ることができる。
【図面の簡単な説明】
【００１７】
【図１】本発明に係る原稿圧着板開閉装置を用いた複写機の斜視図である。
【図２】本発明に係る原稿圧着板開閉装置の複写機に対する取付状態を示す複写機の一部側断面図である。
【図３】本発明に係る原稿圧着板開閉装置の側面図である。
【図４】本発明に係る原稿圧着板開閉装置の分解斜視図である。
【図５】本発明に係る原稿圧着板開閉装置の側断面図である。
【図６】本発明に係る原稿圧着板開閉装置の動作を説明するための側断面図である。
【図７】本発明に係る原稿圧着板開閉装置の動作を説明するための側断面図である。
【図８】本発明に係る原稿圧着板開閉装置の他の実施例を示す分解斜視図である。
【図９】図８に示した本発明に係る原稿圧着板開閉装置の動作を説明するための側断面図である。
【図１０】本発明に係る原稿圧着板開閉装置のさらに他の実施例を示す分解斜視図である。
【図１１】図１０に示した本発明に係る原稿圧着板開閉装置の動作を説明するための側断面図である。
【図１２】本発明に係る原稿圧着板開閉装置のさらに他の実施例を示す分解斜視図である。
【図１３】図１２に示した本発明に係る原稿圧着板開閉装置の動作を説明するための側断面図である。
【図１４】図１２に示した本発明に係る原稿圧着板開閉装置の動作を説明するための側断面図である。
【発明を実施するための形態】
【００１８】
以下に本発明に係る実施例を複写機の原稿圧着板開閉装置として説明するが、本発明に係る原稿圧着板開閉装置は、複写機以外のプリンタ、スキャナー、印刷機等のＯＡ機器にも原稿圧着板の重量、機能、構造を考慮した若干の設計変更を加えるのみで、そのまま実施できるものである。また、原稿圧着板以外のものの開閉体（例えばインクカートリッジ収容部のカバーなど）の開閉装置としても、そのまま実施できるものである。この場合には原稿圧着板を開閉体或はカバーと読み替えるものとする。装置本体は、本発明に係る開閉装置を用いる複写機、プリンタ、スキャナー、或は印刷機の全てに当てはまるものである。
【実施例１】
【００１９】
図１と図２において、指示記号１で示したものは、例えば画像形成装置とも称せられる複写機である。この複写機１は、装置本体２と原稿圧着板３から成り、この装置本体２上のコンタクトガラス４上へ原稿（図示せず）を圧着させるために用いられる本発明に係る原稿圧着板開閉装置５は、とくに図１と図２に示したように、装置本体２の後部上端へ原稿圧着板３の後部を開閉可能に連結させるものである。尚、原稿圧着板３は、図示はしてないが公知構成の原稿自動送り装置付きのものと、そうでないものとの二種類からなり、本発明に係る原稿圧着板開閉装置は、どちらの原稿圧着板にも適用できるものであるが、好ましくは原稿自動送り装置付きでない軽くてそれ自身が中折れするなどして厚物原稿にも対処できるように構成した原稿圧着板開閉装置である。
【００２０】
この原稿圧着板開閉装置５は、図３〜図７に示したように、筒状を呈した取付脚部６を有する取付部材７と、この取付部材７の上部に設けた両側板部８、８にヒンジピン９を介して回転可能に取り付けられた支持部材１０と、この支持部材１０の揺動部１１に回転可能に取り付けられたローラ１２と、取付部材７の取付脚部６の中心部軸方向に設けた収装孔１３に収装されてその底部１３ａとローラ１２との間に弾設された例えば圧縮コイルスプリングから成る弾性手段１４と、この弾性手段１４の上端部側の外側を覆って嵌着された筒状のスプリングガイド１５とで構成されている。
【００２１】
取付部材７は、例えばＰ０Ｍ（ポリアセタール）のような合成樹脂製材料で成形したもので、全体として段付きの角状を呈し、上部には平面角状を呈した支持部材収容部７ａが設けられ、この支持部材収容部７ａに連通して取付脚部６の中心部軸方向に設けられた収装孔１３は断面円形状を呈している。この収装孔１３は、その底部１３ａにボス部１３ｂを有し、このボス部１３ｂはとくに図５に示したように、弾性手段１４の底部側に嵌入している。取付部材７の支持部材収容部７ａには、ヒンジピン９を挿通させる連結孔７ｂ、７ｂが設けられている。取付脚部６は上述したように段付きのもので、リフト機能を持たないため、従来公知のものよりはその長さを短くしてあり、その上端一側に取付孔６ｂを有する取付片６ａが設けられている。尚、取付部材７には両側板部８、８の各一端部を共有して閉塞部８ａが設けられている。
【００２２】
ヒンジピン９は、とくに図４に示したように、フランジ部９ａを有し、ヘッダー加工した炭素鋼線製のもので、支持部材１０を取付部材７へ回転可能に連結させた後、その端部をかしめることによって、後述するように、取付部材７と支持部材１０との間でかしめによりフリクショントルクが発生するように、当該取付部材７と支持部材１０を連結するものである。
【００２３】
支持部材１０は、例えばＰ０Ｍ（ポリアセタール）のような合成樹脂製材料を成型したもので、ヒンジピン９の連結孔１０ａを挟んで一方に支持部１０ｂを他方に揺動部１１を設けたものである。支持部材１０の両側部の連結孔１０ａの回りには、断面円形状を呈したボス部１０ｃ、１０ｃ（一方のみ図示）が設けられている。揺動部１１の揺動先端側には、断面半円形状を呈したローラ収容部１１ａが設けられ、このローラ収容部１１ａの両側端部にローラ収容部１１ａよりも小径の半円係合部１１ｂ、１１ｂを設けたローラ係合片１１ｃ、１１ｃが設けられている。支持部１０ｂには、原稿圧着板３の後端部を取り付ける係合溝部１０ｄや１０ｅ及び取付ネジのネジ孔１０ｆ等が設けられている。また、支持部１０ｂの後端部側にはストッパー部１０ｇが設けられている。
【００２４】
ローラ１２には、例えば快削鋼製の丸棒状のもので、その両端部にその中央部１２ａよりも小径の係合部１２ｂ、１２ｂを有し、その中央部１２ａをローラ収容部１１ａ内へ収容させつつ、係合部１２ｂ、１２ｂをローラ係合片１１ｃ、１１ｃの半円係合部１１ｂ、１１ｂへ嵌入させており、このことによりローラ１２は回転自在であるが左右への移動規制がなされている。尚、このローラ１２は回転することが望ましいが、回転しなくともスプリングガイド１５との接触面に潤滑性のグリスを塗布させることにより、潤滑性が促進されるように構成しても良い。
【００２５】
弾性手段１４を構成する圧縮コイルスプリングは、公知構成のＳＷＰ−Ｂ製のもので、原稿圧着板３の重量及び重心に応じて、その弾力を調節することができる。
【００２６】
スプリングガイド１５は、例えばステンレス鋼製の材料で作られた筒状のもので、周壁部１５ａと上面部１５ｂを有し弾性手段１４の上端部にキャップのように被されている。
【００２７】
そして、回転制御手段１７は、この実施例１にあっては、取付脚部６の収装孔１３内部に収装された圧縮コイルスプリングからなる弾性手段１４と、この弾性手段１４と対向させて支持部材１０に設けたローラ１２と、このローラ１２と弾性手段１４の間に当該弾性手段１４に被せて取り付けた筒状のスプリングガイド１５とで構成されている。
【００２８】
したがって、取付脚部６に設けた収装孔１３へ弾性手段１４を収容させ、この弾性手段１４の上端部にスプリングガイド１５を被せ、支持部材１０の揺動部１１に設けたローラ収容部１１ａへローラ１２の中央部を収容させて、その係合部１２ｂ、１２ｂを半円係合部１１ｂ、１１ｂへ嵌入させた状態で、揺動部１１を支持部材収容部７ａへ挿入させて押し込み、連結孔７ｂ、７ｂと連結孔１０ａで孔合わせした後、これらの連結孔７ｂ、７ｂと１０ａへヒンジピン９を挿入させて連結させた後、ヒンジピン９の端部をかしめることによって、原稿圧着板開閉装置５の組み立てが完了する。この際に、ボス部１０ｃ、１０ｃと支持部材収容部７ａの内壁との間にフリクショントルクが創出されるようにすることは任意にできるし、他のフリクション部材を介在させることにより、フリクショントルクが創出されるように構成しても良い。また、このフリクショントルクは、創出されないように構成しても良い。
【００２９】
このように組み立てた本願発明に係る原稿圧着板開閉装置５は、図１に示したように、通常一対用いられ、支持部材１０の後端部を原稿圧着板３の後端部下面に取り付けた後、とくに図２に示したように、装置本体２の後部上端に設けた取付孔２ａ、２ａ（一方のみ図示）へ取付部材７の取付脚部６を挿入させてその取付片６ａを取付ネジ１６でネジ止めすることで、原稿圧着板３を装置本体２へ開閉可能に取り付けることができるものである。
【００３０】
次に、本発明に係る原稿圧着板開閉装置５の作用について説明すると、上述したように原稿圧着板３を装置本体２へ取り付けて、原稿圧着板３を閉じた状態において、回転制御手段１７のローラ１２は、とくに図５に示したように、スプリングガイド１５の一側部側に位置しており、弾性手段１４の弾力により支持部材１０を原稿圧着板３が閉じる方向へ回動付勢させているので、原稿圧着板３は自己の重量と、弾性手段１４の弾力によりコンタクトガラス４上へ圧着されている。もっとも、ここのところは、弾性手段１４の弾力がローラ１２へ作用しないようにその有効長を定めても良い。この場合は原稿圧着板３はその自重のみで閉成状態を保っている。
【００３１】
この原稿圧着板３の閉成状態から、コンタクトガラス４上へ原稿を載置するために、当該原稿圧着板３を開いて行くと、ヒンジピン９を支点に共に回転する支持部材１０によって、揺動部１１の回転制御手段１７を構成するローラ１２はスプリングガイド１５を介して弾性手段１４を若干押し込んで、その上面をスライドして移動し、図６に示したように、原稿圧着板３がコンタクトガラス４、即ち、装置本体２に対して略８°の開成角度になった時に、弾性手段１４の中心作用線とヒンジピン９及びローラ１２の中心線が同一線上に来るので、支持部材１０はどちらの方向にも回動付勢されない状態になる。さらに原稿圧着板３を開くと、弾性手段１４による付勢方向が反転して今度は原稿圧着板３を開成方向へ付勢して、図７に示したように、支持部１０ｂのストッパー部１０ｇが取付部材７の閉塞部８ａへ当接するまで開かれる。尚、この８°の開成角度に限定はない。その後、開いた原稿圧着板３は開成方向へ付勢された状態となるので、当該原稿圧着板３は閉成方向へ自然落下することなく開成状態を保つことになる。この開成角度は実施例のもので略５０°であるが、この開成角度についても限定はない。
【００３２】
次に、開いた原稿圧着板３を閉じる際には、略８°までの閉成角度までに弾性手段１４をローラ１２を介して押し込む際の抵抗に遭遇するが、略８°のヒンジピン９とローラの中心線と、弾性手段１４の作用中心線が一致した以降は、弾性手段１４がローラ１２を上方の原稿圧着板３を閉じる方向へ押す弾力が作用して、原稿圧着板３は自重と弾性手段１４の付勢力により自動的に閉じられる。
【００３３】
以上説明したように、この実施例１に係る原稿圧着板開閉装置５は、回転制御手段１７により、支持部材１０の回転制御を介して原稿圧着板３の閉成状態においては当該原稿圧着板３の浮き上がり現象の生じない安定した閉成状態を保つことができ、所定の開閉角度からは原稿圧着板３を開成方向へ付勢して全開成角度で安定的に当該原稿圧着板３を支持させておくことができる上に、原稿圧着板３の閉成操作時に置いては、当該原稿圧着板３が急激の閉じないように制御することができるものである。また、ローラ１２を設けたことは、とくに重量の軽い原稿圧着板３の開閉操作時に、揺動部１１とスプリングガイド１５との間の滑りをよくし、開閉操作をスムーズにする効果がある。
【実施例２】
【００３４】
図８と図９は、本発明に係る原稿圧着板開閉装置のさらに他の実施例を示す。この実施例２に係る原稿圧着板開閉装置２０は、回転制御手段２１を構成する圧縮コイルスプリングから成る弾性手段２２に被せるスプリングガイド２３の構成が異なるのみで後は実施例１と同じである。この実施例２に係るスプリングガイド２３は、ＳＵＳ製の筒状を呈した本体部２３ａと、この本体部２３ａの上端にフランジ部２３ｂを有する筒状のもので、本体部２３ａの外径を弾性手段２２の内径に合わせて当該本体部２３ａを弾性手段２２の内側へ嵌入させ、フランジ部２３ｂを弾性手段２２の上端部に被せてなるものである。
【００３５】
このように実施しても本発明の目的は達成できる。
【実施例３】
【００３６】
図１０と図１１は、本発明に係る原稿圧着板開閉装置のさらに他の実施例を示す。この実施例３に係る原稿圧着板開閉装置２５においては、回転制御手段３１は、収装孔２６ａ内に収装され、取付部材２６と支持部材２７との間に設けた捩じりコイルスプリングから成る弾性手段２９で構成されている。そして、弾性手段２９の一方の端部２９ａを取付部材２６に設けた当接部２６ｂに係止させ、他方の端部２９ｂを支持部材２７に設けた係止孔２７ａに係止させている。
【００３７】
本実施例３に係る原稿圧着板開閉装置２５は、回転制御手段３１を構成する、捩じりコイルスプリングから成る弾性手段２９のトルクを適宜選択することにより、原稿圧着板３０を閉成状態で安定維持させて、当該原稿圧着板３０の浮き上がりを防止でき、所定の開成角度からの跳ね上げは、取付部材２６と支持部材２７との間に設けた公知構成のクリック手段、カム手段、フリクション手段、或は係合手段等により防止することができるものである。また、弾性手段２９の弾力により、原稿圧着板３０を開くときは、その重量を余り感じさせることなく開成操作を行うことができ、原稿圧着板３０が開成状態から自然落下してしまうのを防止することができるものである。
【００３８】
このように実施しても、本発明の目的は達成でき、より部品点数が少なくなって、構成が簡単になることにより、より単価の低い原稿圧着板を提供できるものである。
【実施例４】
【００３９】
図１２〜図１４は、さらに本願発明に係る原稿圧着板開閉装置の他の実施例を示す。この実施例４に係る原稿圧着板開閉装置３５おいては、回転制御手段４０は、ヒンジピン３６で互いに回動可能に連結した取付部材３７と支持部材３８との間に張設した引張コイルスプリングから成る弾性手段３９で構成され、収装孔３７ａ内へ収装させたものである。この弾性手段３９の一端部３９ａを取付部材３７の内底部に設けた係止部３７ｂへ係止させ、他端部３９ｂを支持部材３８の係止長孔３８ａへ係止させて成るものであり、原稿圧着板４１の開成位置での安定保持は、弾性手段３９の他端部３９ｂが係止長孔３８ａ内を移動することによって図られるが、この係止長孔３８ａと共に、取付部材３７と支持部材３８との間に設けた公知構成のクリック手段、カム手段、フリクション手段、或は係合手段等により図ることもできるものである。
【００４０】
このように実施しても、本発明の目的は達成でき、より部品点数が少なくなって、構成が簡単になることにより、より単価の低い原稿圧着板を提供できるものである。
【産業上の利用可能性】
【００４１】
本願発明は以上のように構成したので、極力部品点数を省略した安価な原稿圧着板開閉装置を提供でき、比較的に軽量の原稿圧着板を開閉するものとして、複写機を始めとして、プリンタ、スキャナー、印刷機等の原稿圧着板開閉装置として好適に用いられることができる。
【符号の説明】
【００４２】
１  複写機
２  装置本体
３、３０、４１  原稿圧着板
４  コンタクトガラス
５、２０、２５、３５  原稿圧着板開閉装置
６  取付脚部
６ａ  取付片
７、２６、３７  取付部材
７ａ  支持部材収容部
７ｂ  連結孔
８  両側板部
８ａ  閉塞部
９、２８、３６  ヒンジピン
９ａ  フランジ部
１０、２７、３８  支持部材
１０ａ  連結孔
１０ｂ  支持部
１０ｃ  ボス部
１０ｄ  係合溝部
１０ｅ  係合溝部
１０ｆ  ネジ孔
１０ｇ  ストッパー部
１１  揺動部
１１ａ  ローラ収容部
１１ｂ  半円係合部
１１ｃ  ローラ係合片
１２  ローラ
１３、２６ａ、３７ａ  収装孔
１３ａ  底部
１３ｂ  ボス部
１４  弾性手段
１５  スプリングガイド
１６  取付ネジ
１７、２１、３１、４０  回転制御手段
【図１】
2010282158.tif 000003
【図２】
2010282158.tif 000004
【図３】
2010282158.tif 000005
【図４】
2010282158.tif 000006
【図５】
2010282158.tif 000007
【図６】
2010282158.tif 000008
【図７】
2010282158.tif 000009
【図８】
2010282158.tif 000010
【図９】
2010282158.tif 000011
【図１０】
2010282158.tif 000012
【図１１】
2010282158.tif 000013
【図１２】
2010282158.tif 000014
【図１３】
2010282158.tif 000015
【図１４】
2010282158.tif 000016